(57)【要約】【課題】ネットワーク上で手書き入力データが搾取されたとしても、その手書き入力データの再利用性を乏しくし、登録者本人に成り済ましての不正アクセスの防止を図ることができる手書き認証システムを提供する。【解決手段】手書き認証処理開始後、入力文字パターン指示サーバ３は、手書き署名データベース２内を検索し、初期登録してある手書き署名に含まれる文字の中から任意の文字を選択して発信者に手書き入力させる文字を指示する。手書き入力装置７にて作成された手書き入力データが送信されてくると、手書き認証サーバ１は、手書き署名データベース２内から入力文字パターン指示サーバ３が指示した文字のデータを抽出し、この抽出した文字のデータと送信されてきた手書き文字データを比較し、同一性を有するか否か判定する。【選択図】　　図１
2004118302.tif 000002
【特許請求の範囲】
【請求項１】
発信者がネットワークを介して送信した手書き入力データと、あらかじめ登録してある初期登録手書き入力データとを比較して発信者が登録者本人であることを認証する手書き認証システムであって、
初期登録手書き入力データとその登録者の識別子を関連付けたデータファイルを保持・管理する手書き入力データベースと、
入力された識別子を基に特定される登録者の初期登録手書き入力データを前記手書き入力データベースから検索し、この初期登録してある文字の中から任意の文字を選択して指示する入力文字パターン指示サーバと、
ネットワークを介して送信された前記入力文字パターン指示サーバの指示する文字を受信し教示するとともに、発信者の手書き入力データを送信する端末と、
前記端末と接続され、入力された手書き文字の特徴要素を解析して手書き入力データを作成する手書き入力装置と、
発信者の手書き入力データがネットワークを介して送信されると、前記手書き入力データベースから前記入力文字パターン指示サーバの指示した文字のデータを検索し、このデータと発信者の手書き入力データとを比較し、発信者が登録者本人であるか否かを判定する手書き認証サーバと
を具備することを特徴とする手書き認証システム。
【請求項２】
前記入力文字パターン指示サーバは、初期登録してある文字の中から任意に選択した１文字を指示するか、もしくは任意に選択して並び替えた複数の文字を指示することを特徴とする請求項１記載の手書き認証システム。
【請求項３】
初期登録手書き入力データとして、複数の手書き入力データが登録可能なことを特徴とする請求項１もしくは２のいずれかに記載の手書き認証システム。
【請求項４】
発信者がネットワークを介して送信した手書き入力データと、あらかじめ登録してある初期登録手書き入力データとを比較して発信者が登録者本人であることを認証する手書き認証システムであって、
初期登録手書き入力データとその登録者の識別子を関連付けたデータファイルを保持・管理する手書き入力データベースと、
入力された識別子を基に特定される登録者の初期登録手書き入力データを前記手書き入力データベースから検索し、この初期登録してある文字の中から任意に選択した文字の一部とその形状が同視の他の文字を指示する入力文字パターン指示サーバと、
ネットワークを介して送信された前記入力文字パターン指示サーバの指示する文字を受信し教示するとともに、発信者の手書き入力データを送信する端末と、
前記端末と接続され、入力された手書き文字の特徴要素を解析して手書き入力データを作成する手書き入力装置と、
発信者の手書き入力データがネットワークを介して送信されると、この手書き文字の文字認識を行い前記入力文字パターン指示サーバの指示した文字と比較して同一か否かを判定する入力文字認識サーバと、
前記入力文字認識サーバが同一と判定すると、前記手書き入力データベースから前記入力文字パターン指示サーバの選択した文字のデータを検索し、前記手書き入力装置からの手書き文字と前記入力文字パターン指示サーバの選択した文字の同視形状部分のデータを比較し、発信者が登録者本人であるか否かを判定する手書き認証サーバと
を具備することを特徴とする手書き認証システム。
【請求項５】
初期登録手書き入力データとして、複数の手書き入力データが登録可能なことを特徴とする請求項４記載の手書き認証システム。
【請求項６】
請求項４もしくは５のいずれかに記載の手書き認証システムであって、
前記入力文字パターン指示サーバが、初期登録してある文字の中から任意に選択した文字と、初期登録されている文字の中から任意に選択した文字の一部とその形状が同視の他の文字とを組み合わせて指示することを特徴とする手書き認証システム。
【請求項７】
請求項４もしくは５のいずれかに記載の手書き認証システムであって、
前記入力文字パターン指示サーバが、初期登録されていない任意の文字と、初期登録されている文字の中から任意に選択した文字の一部とその形状が同視の他の文字とを組み合わせて指示することを特徴とする手書き認証システム。
【発明の詳細な説明】
【０００１】
【発明の属する技術分野】
本発明は、手書き認証システムに関する。
【０００２】
【従来の技術】
近年、公衆網やインターネットなどによる広域ネットワークの普及に伴い、ネットワークを介した情報の流通が盛んに行われるようになってきている。このネットワークを介した情報流通の安全性を高めるための手段の一つに、手書き認証システムがある（例えば、特許文献１参照）。
【０００３】
手書き認証システムは、ネットワークを介して送信された手書き入力データと、あらかじめ登録してある初期登録手書き入力データとの比較を行い、一致すると手書き入力データの発信者が登録者本人であることを認証するシステムであり、この手書き認証システムにより発信者が登録者本人であることを認証できなければ、ネットワーク上で提供される特定のサービスを受けられないようにすることで、ネットワークを介した情報流通の安全性の向上を図っている。
【０００４】
以下、特許文献１に記載の従来の手書き認証システムについて説明する。図５は従来の手書き認証システムの構成を示す図である。当該手書き認証システムは、ネットワーク上で提供される特定のサービスの利用者（発信者）を認証するためのものであり、手書き入力する文字として利用者の手書き署名を用いる。
【０００５】
図５において、１はネットワーク上で提供される特定のサービスの利用者があらかじめ登録した初期登録手書き署名データ（初期登録手書き入力データ）と、ネットワークを介して送信された手書き署名データ（手書き入力データ）との比較を行い、利用者（手書き署名データの発信者）が登録者本人であるか否かを判定する手書き認証サーバであり、初期登録手書き署名データと登録者個人の識別子（例えば、ユーザＩＤやパスワード）とを関連付けたデータファイルを保持・管理する手書き署名データベース（手書き入力データベース）２を有している。
【０００６】
４はネットワーク上において当該手書き認証システムに係る呼処理を統括し管理する制御サーバ、５は公衆網やインターネットなどによるネットワーク、６は利用者の手書き署名データを送信する端末である。
【０００７】
７は端末６に接続され、入力された手書き署名の特徴要素を解析してデジタル情報化し手書き署名データを作成する手書き入力装置であり、例えば、電子ペンとパッドを用いたものなどがある。電子ペンとパッドを用いた手書き入力装置の場合、特徴要素として、手書き署名での署名の形状、ペン先の圧力、書き順、空中でのペン先の動き、書く速さなどを解析し、デジタル情報化する。
【０００８】
ここで、この従来の手書き認証システムにおける手書き認証処理の流れを、図６を用いて説明する。図６は従来の手書き認証システムにおける手書き認証処理の流れを表すフロー図である。
【０００９】
まず手書き認証処理に先行して、特定のサービスを利用しようとするサービス利用者（発信者）がＩＤやパスワードなどの識別子を送信する。手書き認証サーバ１は、ネットワークを介して送信された識別子を受信し、これを基に手書き署名データベース２を検索し、登録者の中からこの利用者を特定する。
【００１０】
手書き認証処理開始後、制御サーバ４は、署名を手書きで入力するように利用者へ指示する（ステップＳ６０１）。利用者は、入力装置７を用いて手書き署名を入力する（ステップＳ６０２）。端末６は、手書き入力装置７により作成された手書き署名データ（手書き署名の特徴要素を解析した特徴要素解析データ）を制御サーバ４へ送信する（ステップＳ６０３）。制御サーバ４はこの送信された手書き署名データを手書き認証サーバ１へ転送し、これを受けた手書き認証サーバ１は、先行処理時に特定した登録者の初期登録手書き署名データ（登録時に入力された手書き署名の特徴要素を解析した特徴要素解析データ）と比較し、同一性を有するか否かを判定する（ステップＳ６０４）。その結果、同一性が確認されなければ、手書き署名の再入力を許可する。この再入力は所定回数（ｎ回）許可され、その結果依然として同一性が確認されなければ、利用者（発信者）は登録者本人ではないと判断して処理を終了する。同一性が確認されれば、利用者を登録者本人と認証して処理を終了する。
【００１１】
しかしながら、従来の手書き認証システムでは、署名などの常に固定された文字の手書き入力を毎回行うため、この手書き入力データをネットワーク上にて搾取し、搾取した手書き入力データを送信するアプリケーションソフトを開発して手書き文字の認証時に使用することにより、本人に成り済ますことが可能となり、悪用される可能性がある。
【００１２】
このネットワークからの搾取を防ぐため、ネットワーク上の手書き入力データに対し高度な暗号化処理や複数の暗号化処理を施すことは無論必要であるが、しかし、いくら高度な暗号化や複数の暗号化がなされようとも暗号が解かれる可能性は否定できないため、依然搾取されて悪用される可能性があり、またこのような高度な暗号化や複数の暗号化はコストの増大にもつながる。
【００１３】
【特許文献１】
特開２０００−１９４６１８号公報
【００１４】
【発明が解決しようとする課題】
本発明は、上記問題点に鑑み、発信者に手書き入力させる文字を任意に変更させることにより、ネットワーク上で手書き入力データが搾取されたとしても、その手書き入力データの再利用性を乏しくし、登録者本人に成り済ましての不正アクセスの防止を図ることができる手書き認証システムを提供することを目的とする。
【００１５】
【課題を解決するための手段】
本発明の請求項１記載の手書き認証システムは、発信者がネットワークを介して送信した手書き入力データと、あらかじめ登録してある初期登録手書き入力データとを比較して発信者が登録者本人であることを認証する手書き認証システムであって、初期登録手書き入力データとその登録者の識別子を関連付けたデータファイルを保持・管理する手書き入力データベースと、入力された識別子を基に特定される登録者の初期登録手書き入力データを前記手書き入力データベースから検索し、この初期登録してある文字の中から任意の文字を選択して指示する入力文字パターン指示サーバと、ネットワークを介して送信された前記入力文字パターン指示サーバの指示する文字を受信し教示するとともに、発信者の手書き入力データを送信する端末と、前記端末と接続され、入力された手書き文字の特徴要素を解析して手書き入力データを作成する手書き入力装置と、発信者の手書き入力データがネットワークを介して送信されると、前記手書き入力データベースから前記入力文字パターン指示サーバの指示した文字のデータを検索し、このデータと発信者の手書き入力データとを比較し、発信者が登録者本人であるか否かを判定する手書き認証サーバとを具備することを特徴とする。
【００１６】
本発明の請求項２記載の手書き認証システムは、請求項１記載の手書き認証システムであって、前記入力文字パターン指示サーバは、初期登録してある文字の中から任意に選択した１文字を指示するか、もしくは任意に選択して並び替えた複数の文字を指示することを特徴とする。
【００１７】
本発明の請求項３記載の手書き認証システムは、請求項１もしくは２のいずれかに記載の手書き認証システムであって、初期登録手書き入力データとして、複数の手書き入力データが登録可能なことを特徴とする。
【００１８】
本発明の請求項４記載の手書き認証システムは、発信者がネットワークを介して送信した手書き入力データと、あらかじめ登録してある初期登録手書き入力データとを比較して発信者が登録者本人であることを認証する手書き認証システムであって、初期登録手書き入力データとその登録者の識別子を関連付けたデータファイルを保持・管理する手書き入力データベースと、入力された識別子を基に特定される登録者の初期登録手書き入力データを前記手書き入力データベースから検索し、この初期登録してある文字の中から任意に選択した文字の一部とその形状が同視の他の文字を指示する入力文字パターン指示サーバと、ネットワークを介して送信された前記入力文字パターン指示サーバの指示する文字を受信し教示するとともに、発信者の手書き入力データを送信する端末と、前記端末と接続され、入力された手書き文字の特徴要素を解析して手書き入力データを作成する手書き入力装置と、発信者の手書き入力データがネットワークを介して送信されると、この手書き文字の文字認識を行い前記入力文字パターン指示サーバの指示した文字と比較して同一か否かを判定する入力文字認識サーバと、前記入力文字認識サーバが同一と判定すると、前記手書き入力データベースから前記入力文字パターン指示サーバの選択した文字のデータを検索し、前記手書き入力装置からの手書き文字と前記入力文字パターン指示サーバの選択した文字の同視形状部分のデータを比較し、発信者が登録者本人であるか否かを判定する手書き認証サーバとを具備することを特徴とする。
【００１９】
本発明の請求項５記載の手書き認証システムは、請求項４記載の手書き認証システムであって、初期登録手書き入力データとして、複数の手書き入力データが登録可能なことを特徴とする。
【００２０】
本発明の請求項６記載の手書き認証システムは、請求項４もしくは５のいずれかに記載の手書き認証システムであって、前記入力文字パターン指示サーバが、初期登録してある文字の中から任意に選択した文字と、初期登録されている文字の中から任意に選択した文字の一部とその形状が同視の他の文字とを組み合わせて指示することを特徴とする。
【００２１】
本発明の請求項７記載の手書き認証システムは、請求項４もしくは５のいずれかに記載の手書き認証システムであって、前記入力文字パターン指示サーバが、初期登録されていない任意の文字と、初期登録されている文字の中から任意に選択した文字の一部とその形状が同視の他の文字とを組み合わせて指示することを特徴とする。
【００２２】
以上のように、本発明によれば、発信者に手書き入力させる文字を任意に変更させるので、ネットワーク上で手書き入力データが搾取されたとしても、その手書き入力データの再利用性を乏しくし、登録者本人に成り済ましての不正アクセスの防止を図ることができる。
【００２３】
【発明の実施の形態】
以下、本発明の実施の形態について図面を交えて説明を行う。
（実施の形態１）
本実施の形態１による手書き認証システムについて、以下に説明する。図１はは本実施の形態１による手書き認証システムの構成を示す図である。当該手書き認証システムは、ネットワーク上で提供される特定のサービスの利用者（発信者）を認証するためのものであり、手書き入力する文字として利用者の手書き署名を用いる。
【００２４】
図１において、１はネットワーク上で提供される特定のサービスの利用者があらかじめ登録した初期登録手書き署名データ（初期登録手書き入力データ）の中から任意に選択され指示された文字のデータと、ネットワークを介して送信された手書き文字データ（手書き入力データ）との比較を行い、利用者（手書き文字データの発信者）が登録者本人であるか否かを判定する手書き認証サーバであり、初期登録手書き署名データと登録者個人の識別子（例えば、ユーザＩＤやパスワード）とを関連付けたデータファイルを保持・管理する手書き署名データベース（手書き入力データベース）２を有している。
【００２５】
３は入力された登録者の識別子を基に特定される登録者の初期登録手書き入力データを手書き署名データベース２から検索し、この初期登録してある手書き署名に含まれる文字の中から任意の文字を選択し、利用者に入力させる文字を指示・保持する入力文字パターン指示サーバである。
【００２６】
４はネットワーク上において当該手書き認証システムに係る呼処理を統括し管理する制御サーバ、５は公衆網やインターネットなどによるネットワーク、６は利用者の手書き文字データを送信する端末である。
【００２７】
７は端末６に接続され、入力された手書き文字の特徴要素を解析してデジタル情報化し手書き文字データを作成する手書き入力装置であり、例えば、電子ペンとパッドを用いたものなどがある。電子ペンとパッドを用いた手書き入力装置の場合、特徴要素として、手書き文字での文字の形状、ペン先の圧力、書き順、空中でのペン先の動き、書く速さなどを解析し、デジタル情報化する。
【００２８】
ここで、当該手書き認証システムにおける手書き認証処理の流れを、図２を用いて説明する。図２は当該手書き認証システムにおける手書き認証処理の流れを表すフロー図である。
【００２９】
まず手書き認証処理に先行して、特定のサービスを利用しようとするサービス利用者（発信者）がＩＤやパスワードなどの識別子を送信する。手書き認証サーバ１は、ネットワークを介して送信された識別子を受信し、これを基に手書き署名データベース２を検索し、登録者の中からこの利用者を特定する。
【００３０】
手書き認証処理開始後、入力文字パターン指示サーバ３は、上記先行処理にて特定された登録者の初期登録手書き署名データを手書き署名データベース２から検索し、この初期登録してある手書き署名に含まれる文字の中から任意の文字を選択し、利用者に手書き入力させる文字を指示する（ステップＳ２０１）。手書き入力させる文字のパターンは、例えば任意の１文字や、苗字、苗字の１文字目と名前の１文字目などのように、初期登録されている手書き署名の文字群の中から任意に選択した１文字や、任意に選択して並び替えた複数の文字であり、利用者がサービス提供者側のサーバへアクセスするごとに任意に変更される。
【００３１】
制御サーバ４は、入力文字パターン指示サーバ３で指示された文字を、ネットワーク５を経由して端末６へ送信する。端末６はこの受信した文字を表示し、発信者へ教示する（ステップＳ２０２）。
【００３２】
利用者は手書き入力装置７を用いて手書き文字を入力する（ステップＳ２０３）。端末６は、手書き入力装置７により作成された手書き文字データ（手書き文字の特徴要素を解析した特徴要素解析データ）を制御サーバ４へ送信する（ステップＳ２０４）。制御サーバ４はこの送信された手書き文字データを手書き認証サーバ１へ転送する。
【００３３】
手書き認証サーバ１は、手書き署名データベース２内から先行処理時に特定した登録者の初期登録手書き署名データを検索し、入力文字パターン指示サーバ３が指示・保持した文字に従う文字のデータを抽出する。この抽出した文字のデータ（登録時に入力された手書き署名の特徴要素を解析した特徴要素解析データ）と送信されてきた手書き文字データを比較し、同一性を有するか否かを判定する（ステップＳ２０５）。
【００３４】
その結果、同一性が確認されなければ、手書き文字の再入力を許可する。この再入力は所定回数（ｎ回）許可され、その結果依然として同一性が確認されなければ、利用者（発信者）は登録者本人ではないと判断して処理を終了する。同一性が確認されれば、利用者を登録者本人と認証して処理を終了する。
【００３５】
本実施の形態１によれば、ネットワーク上で手書き入力データが搾取されたとしても、その手書き入力データの再利用性は乏しく、従って、登録者本人に成り済ましての不正アクセスの防止を図ることができる。また、このシステムは、ネットワーク上の手書き入力データに対し高度な暗号化処理や複数の暗号化処理を施す場合に比べて少ない負担で不正アクセスの防止を図ることができる。
【００３６】
なお、本実施の形態１では、署名を用いているが、住所や好きな食べ物といった署名以外の手書き文字を用いても無論よく、また、これら複数種類の手書き文字を入力させ、初期登録手書き入力データとして用いるようにしてもよい。
【００３７】
（実施の形態２）
本実施の形態２による手書き認証システムについて、以下に説明する。図３はは本実施の形態２による手書き認証システムの構成を示す図である。なお、前述した実施の形態１と同じ構成を有する部材には同一の番号を付記して説明を省略する。
【００３８】
実施の形態１の手書き認証システムと異なる点は、入力文字パターン指示サーバが、利用者に手書き入力させる文字として、初期登録されている手書き署名に含まれる文字の中から選択した文字のある部分と形状が同視できる他の文字、例えば同じ部首からなる文字を指示し、手書き認証サーバが部分認証（部首のみの認証）を行うようにした点、及び手書き入力装置により入力された文字を文字認識し、入力文字パターン指示サーバが指示した文字と同一か否か判定する入力文字認識サーバ８が設けられている点である。
【００３９】
ここで、当該手書き認証システムにおける手書き認証処理の流れを、図４を用いて説明する。図４は当該手書き認証システムにおける手書き認証処理の流れを表すフロー図である。
【００４０】
まず手書き認証処理に先行して、特定のサービスを利用しようとするサービス利用者（発信者）がＩＤやパスワードなどの識別子を送信する。手書き認証サーバ１は、ネットワークを介して送信された識別子を受信し、これを基に手書き署名データベース２を検索し、登録者の中からこの利用者を特定する。
【００４１】
手書き認証処理開始後、入力文字パターン指示サーバ３は、上記先行処理にて特定された登録者の初期登録手書き署名データを手書き署名データベース２から検索し、この初期登録してある手書き署名に含まれる文字の中から任意に選択した文字の一部とその形状が同視の他の文字を指示する（ステップＳ４０１）。この指示される文字は、利用者がサービス提供者側のサーバへアクセスするごとに任意に変更される。
【００４２】
制御サーバ４は、入力文字パターン指示サーバ３で指示された文字を、ネットワーク５を経由して端末６へ送信する。端末６はこの受信した文字を表示し、発信者へ教示する（ステップＳ４０２）。
【００４３】
利用者は手書き入力装置７を用いて手書き文字を入力する（ステップＳ４０３）。端末６は、手書き入力装置７により作成された手書き文字データ（手書き文字の特徴要素を解析した特徴要素解析データ）を制御サーバ４へ送信する（ステップＳ４０４）。制御サーバ４はこの送信された手書き文字データを入力文字認識サーバ８へ転送する。
【００４４】
入力文字認識サーバ８は、送信されてきた手書き文字データを基に入力された手書き文字の文字認識を行い、入力文字パターン指示サーバ３が指示し保持している文字を検索し、これらを比較し、同一であるか否かを判定する（ステップＳ４０５）。その結果、同一でなければ、手書き文字の再入力を許可する。この再入力は所定回数（ｎ回）許可され、その結果依然として同一でなければ、利用者は登録者本人ではないと判断して処理を終了する。同一であれば、この送信されてきた手書き文字データを手書き認証サーバ１へ転送する。
【００４５】
手書き認証サーバ１は、手書き署名データベース２内から先行処理時に特定した登録者の初期登録手書き署名データを検索し、入力文字パターン指示サーバ３が選択し保持した文字に従う文字のデータを抽出する。この抽出した文字と送信されてきた手書き文字の同視形状部分のデータを比較し、この部分が同一性を有するか否か判定する（ステップＳ４０６）。
【００４６】
その結果、同一性が確認されなければ、手書き文字の再入力を許可する。この再入力は所定回数（ｎ回）許可され、その結果依然として同一性が確認されなければ、利用者（発信者）は登録者本人ではないと判断して処理を終了する。同一性が確認されれば、利用者を登録者本人と認証して処理を終了する。
【００４７】
本実施の形態２によれば、ネットワーク上で搾取された手書き入力データの再利用性が乏しくなるだけでなく、あらかじめ登録した文字の特定が困難になるので、登録者本人に成り済ましての不正アクセスの防止をさらに強化することができる。
【００４８】
なお、本実施の形態２においても、実施の形態１と同様に、複数種類の手書き文字を入力させ、初期登録手書き入力データとして用いるようにしてもよい。
また、本実施の形態２では、初期登録された手書き署名データに含まれる文字の中から一つの文字を抽出し、その文字と同じ部首を持つ部分認証に適した他の文字を指示するものであるが、複数の文字を抽出し部分認証に適した複数の文字を指示するようにしてもよいし、部分認証に適した文字と初期登録されている文字そのものを組み合わせて指示するようにしてもよいし、あるいは、初期登録されていない文字と、部分認証に適した文字もしくは初期登録されている文字そのものとを組み合わせて指示するようにしてもよい。
【００４９】
また、本実施の形態２では、初期登録された手書き署名データに含まれる文字の中から一つの文字を抽出し、その文字と同じ部首を持つ部分認証に適した他の文字を指示するものとしたが、初期登録されている署名が漢字以外の文字、例えばローマ字で登録されている場合、その署名の一部と同じ綴りを有する他の文字を指示するようにしてもよい。
【００５０】
このようにすれば、あらかじめ登録しておいた手書き文字の特定がより困難になり、登録者本人に成り済ましての不正アクセスの防止を強化することができる。
【００５１】
【発明の効果】
以上のように、本発明によれば、発信者に手書き入力させる文字を任意に変更させるので、ネットワーク上で手書き入力データが搾取されたとしても、その手書き入力データの再利用性を乏しくし、登録者本人に成り済ましての不正アクセスの防止を図ることができる。
【図面の簡単な説明】
【図１】本発明の実施の形態１による手書き認証システムの構成を示す図
【図２】本発明の実施の形態１による手書き認証システムにおける手書き認証処理の流れを表すフロー図
【図３】本発明の実施の形態２による手書き認証システムの構成を示す図
【図４】本発明の実施の形態２による手書き認証システムにおける手書き認証処理の流れを表すフロー図
【図５】従来の手書き認証システムの構成を示す図
【図６】従来の手書き認証システムにおける手書き認証処理の流れを表すフロー図
【符号の説明】
１　　　手書き認証サーバ
２　　　手書き署名データベース
３　　　入力文字パターン指示サーバ
４　　　制御サーバ
５　　　ネットワーク
６　　　端末
７　　　手書き入力装置
８　　　入力文字認識サーバ
【図１】
2004118302.tif 000003
【図２】
2004118302.tif 000004
【図３】
2004118302.tif 000005
【図４】
2004118302.tif 000006
【図５】
2004118302.tif 000007
【図６】
2004118302.tif 000008